(57)【特許請求の範囲】
【請求項１】
ペン先とインキタンクとの間に、インキタンク内の圧力上昇に応じた余剰インキを一時的に保持するインキ保溜部材を設け、前記インキ保溜部材の軸心孔に、インキタンク側からペン先側へインキを供給する合成樹脂の押出成形体よりなる第１のインキ誘導部材を設け、前記第１のインキ誘導部材と前記ペン先との間に繊維束加工体よりなる第２のインキ誘導部材を設け、前記第１のインキ誘導部材の尖頭状の前端を前記第２のインキ誘導部材の後端に突き刺し接続させた直液式筆記具であって、前記第１のインキ誘導部材が、環状外壁部と、該環状外壁部の内面から内方に突出する軸方向の複数本のリブとからなり、横断面において前記リブの各々が前記環状外壁部の内面から軸心を外した方向に突出してなることを特徴とする直液式筆記具。
【請求項２】
前記リブを、３本〜９本、環状外壁部の内面に等間隔に設けてなる請求項１記載の直液式筆記具。
【請求項３】
前記ペン先が、外径０．７ｍｍ〜１．６ｍｍのボールを前端に回転可能に抱持したボールペンチップである請求項１又は２記載の直液式筆記具。
【発明の詳細な説明】
【０００１】
【発明の属する技術分野】
本発明は、直液式筆記具に関する。
【０００２】
【従来の技術】
従来、例えば、特開平９−２０２０８８号公報には、ペン先とインク室（本願のインキタンク）との間に、インク室内の圧力上昇に応じた余剰インキを一時的に保持するインク保溜体（本願のインキ保溜部材）を設け、前記インク保溜体の縦孔（本願の軸心孔）に、インク室側からペン先側へインキを供給する合成樹脂の押出成形体よりなるインク誘導芯（本願の第１のインキ誘導部材）を設け、前記インク誘導芯と前記ペン先との間に中芯（本願の第２のインキ誘導部材）を設け、前記インク誘導芯の尖頭状の前端を前記中芯の後端に突き刺し接続させた直液式筆記具が開示されている。また、前記公報には、環状外壁部と、該環状外壁部の内面から軸心方向に突出する複数本のリブとからなる構成のインキ誘導芯が開示されている。
【０００３】
【発明が解決しようとする課題】
前記従来の直液式筆記具は、筆記時の潤沢なインキ流出性が要求される大径のペン先（例えば、大径ボールを備えたボールペンチップ）の場合、ペン先からのインキ流出性が不足し、筆跡途切れを生じさせるおそれがある。
【０００４】
そこで、ペン先からのインキ流出性を向上させるために、ただ単に、第１のインキ誘導部材のリブの本数を減少させ、第１のインキ誘導部材の内部の流通孔を大きく設定した場合、第１のインキ誘導部材の前端を尖頭状に研削加工すると、第１のインキ誘導部材の前端外面がばさつき、適正な尖頭形状を維持できず、第２のインキ誘導部材とのスムーズな突き刺さり性が阻害されるおそれがある。
【０００５】
その上、通常、第１のインキ誘導部材の内部の流通孔を大きくすると、ペン先からのインキ流出性が向上するとしても、流通孔の毛細管力が弱くなり、直液式筆記具をペン先上向き状態で放置した場合、流通孔内部でインキが保持できず、ペン先より空気が流入し、筆記不能となるおそれがある。
【０００６】
本発明は、前記従来の問題点を解決するものであって、大径のペン先を備えたとしても、ペン先からの筆跡途切れのない十分なインキ流出性が得られ、しかも、ペン先上向き状態で放置したとしても、ペン先からの空気の流入を防止でき、さらに、第１のインキ誘導部材と第２のインキ誘導部材とのスムーズな突き刺し接続が可能となる直液式筆記具を提供しようとするものである。
【０００７】
【課題を解決するための手段】
〔１〕本発明は、ペン先３とインキタンク４との間に、インキタンク４内の圧力上昇に応じた余剰インキを一時的に保持するインキ保溜部材５を設け、前記インキ保溜部材５の軸心孔５１に、インキタンク４側からペン先３側へインキを供給する合成樹脂の押出成形体よりなる第１のインキ誘導部材６を設け、前記第１のインキ誘導部材６と前記ペン先３との間に繊維束加工体よりなる第２のインキ誘導部材７を設け、前記第１のインキ誘導部材６の尖頭状の前端を前記第２のインキ誘導部材７の後端に突き刺し接続させた直液式筆記具１であって、前記第１のインキ誘導部材６が、環状外壁部６１と、該環状外壁部６１の内面から内方に突出する軸方向の複数本のリブ６２とからなり、横断面において前記リブ６２の各々が前記環状外壁部６１の内面から軸心を外した方向に突出してなること（請求項１）を要件とする。
【０００８】
（作用）
第１のインキ誘導部材６が、横断面においてリブ６２の各々が環状外壁部６１の内面から軸心（即ち環状外壁部６１の軸心）を外した方向に突出してなることにより、第１のインキ誘導部材６の内部のインキ流通孔を大きく確保するために、リブ６２の本数を少なく設定したとしても、軸心に向かう方向に突出した複数本のリブ６２により形成される場合（従来）に比べ、研削加工によるばさつきのない適正な尖頭状の前端部が得られ、第１の誘導部材の前端を第２のインキ誘導部材７の後端にスムーズに突き刺し接続することができる。
【０００９】
その上、第１のインキ誘導部材６が、横断面においてリブ６２の各々が環状外壁部６１の内面から軸心を外した方向に突出してなることにより、リブ６２本数を少なくしたにもかかわらず、第１のインキ誘導部材６が、軸心方向に突出した複数本のリブ６２により形成される場合（従来）に比べ、リブ６２と環状外壁部６１の間の毛細管力、または各々のリブ６２の間の毛細管力を強くすることができ、その結果、ペン先３上向き状態に放置しても、第１のインキ誘導部材６の内部でインキが適正に保持されるため、ペン先３からの空気の流入を十分に抑止できる。
【００１０】
〔２〕また、前記直液式筆記具１（請求項１）において、前記リブ６２を、３本〜９本、環状外壁部６１の内面に等間隔に設けてなることが好ましい。
【００１１】
（作用）
それにより、適正な尖頭形状が得られると同時に、十分且つばらつきのない安定したインキ流出性が得られる。仮に、前記リブ６２が３本よりも少ない場合、研削加工により第１のインキ誘導部材６の前端の研削加工面が、その強度不足によりばさつき、適正な尖頭形状が得られない。また、前記リブ６２が９本より多い場合、第１のインキ誘導部材６の内部のインキ流通間隙が小さくなり、潤沢なインキ流出が得られない。
【００１２】
〔３〕前記直液式筆記具１（請求項１又は２）において、ペン先３が、外径０．７ｍｍ〜１．６ｍｍのボール３１を前端に回転可能に抱持したボールペンチップであることが好ましく、それにより、途切れのない太幅の筆跡が得られる直液式ボールペンを提供することができる。
【００１３】
【発明の実施の形態】
本発明の実施の形態について図面に従って説明する。
【００１４】
〔第１実施例〕
【００１５】
（概要）
図１及び図２に本発明の第１実施例を示す。
本実施例の直液式筆記具１は、前部にインキ保溜部材５が装着され且つ後部にインキを直に貯溜するインキタンク４が形成された軸筒２と、前記インキ保溜部材５の前部に取り付けられるペン先３（具体的にはボールペンチップ）と、前記ペン先３とインキタンク４との間を毛細管力により接続する３つの部材（第１のインキ誘導部材６、第２のインキ誘導部材７、第３のインキ誘導部材８）とからなる。
【００１６】
（インキ保溜部材）
インキ保溜部材５は、複数の円板状櫛歯５２を有する合成樹脂の射出成形体であり、軸心に円形断面の軸心孔５１が貫設され、隣接する各々の櫛歯５２の間に複数のインキ保溜溝５３が形成され、櫛歯５２群外面に軸方向のインキ誘導スリット５４が形成される。尚、前記インキ保溜部材５は、インキタンク４の内圧が上昇した際にインキタンク４からの余剰インキを一時的に保持し、一方、インキタンク４の内圧が低下した際に前記一時的に保持したインキをインキタンク４に戻す機能を有する部材であればよく、本実施例の他にも、例えば、螺旋状や迷路状のインキ保溜溝５３を有する合成樹脂の射出成形体、又は多孔質含浸体が挙げられる。
【００１７】
（ボールペンチップ）
ボールペンチップは、金属製（例えばステンレス鋼製）細管の先端にボール３１（外径０．７ｍｍ〜１．６ｍｍ）を回転自在に抱持したものであり、金属製細管の前端近傍側壁を内方へ押圧変形させることによりボール受け座３２を形成するタイプである。前記ボールペンチップは、ペン先ホルダー９の前部に圧入固着され、前記ペン先ホルダー９を介してインキ保溜部材５の軸心孔５１前端に圧入固着される。前記ボールペンチップの内部には、第３のインキ誘導部材８（例えば、合成樹脂の棒状の押出成形体）が挿入される。前記第３のインキ誘導部材８の前端はボール３１の背面及びボール受け座３２の背面に接続している。
【００１８】
（第１インキ誘導部材）
前記インキ保溜部材５の軸心孔５１には、合成樹脂（例えば、ポリアセタール樹脂）の押出成形体よりなる第１のインキ誘導部材６、及び合成樹脂製繊維束（例えば、ポリエステル繊維束）の樹脂加工体よりなる第２のインキ誘導部材７が挿入配置される。
【００１９】
前記第１のインキ誘導部材６は、詳細には、押出成形された合成樹脂のモノフィラメントの自己融着体であり、軸方向に延びる環状外壁部６１と、該環状外壁部６１の内面から内方に突出する軸方向に延びる等間隔に配置された６本のリブ６２とからなり、横断面において前記リブ６２の各々が前記環状外壁部６１の内面から、軸心方向より適宜角度（具体的には約１５度の角度）だけ傾斜した方向（即ち軸心から外れた方向）に直線状に突出されている。
【００２０】
前記第１のインキ誘導部材６の前端は、１５度〜３０度の円錐面状に研削加工され、第２のインキ誘導部材７の後端に突き刺し接続される。前記第１のインキ誘導部材６の前端の研削加工面は、軸心を外した方向に突出したことによる流通孔内における十分な体積を有するリブ６２（即ち突出量の長いリブ６２）によって、従来の軸心方向のリブに比べて、その強度を向上でき、ばさつくことなく適正な円錐面形状を維持でき、その結果、第２のインキ誘導部材７とのスムーズな突き刺しが可能となる。
【００２１】
尚、この他にも、前記第１のインキ誘導部材６は、図３に示すような断面パターンを採用することもできる。即ち、前記第１のインキ誘導部材６は、軸方向に延びる環状外壁部６１と、該環状外壁部６１の内面から内方に突出する軸方向に延びる等間隔に配置された３本のリブ６２とからなり、横断面において前記リブ６２の各々が前記環状外壁部６１の内面から、軸心方向より適宜角度（具体的には約３０度の角度）だけ傾斜した方向（即ち軸心を外した方向）に突出されている。それにより、図２に示す断面パターンに比べ、より一層、インキ流通性を向上させることができる。
【００２２】
〔第２実施例〕
図４に第２実施例を示す。
本実施例は、第１実施例の変形例であって、第１実施例と異なる点は、ペン先３部分であり、他の構成は第１実施例と同様である。
【００２３】
前記ペン先３は、金属材料を切削加工によりボール受け座３２を形成するタイプのボールペンチップであり、その前端には外径０．７ｍｍ〜１．６ｍｍのボール３１が回転可能に抱持され、ペン先ホルダー９を介さず、直接、インキ保溜部材の軸心孔５１の前端に圧入固着される。前記ペン先３の内部には、ボール３１背面にインキを供給する繊維束樹脂加工体よりなる第２のインキ誘導部材７が挿入配置される。そして、第１実施例同様、前記第２のインキ誘導部材７の後端に、押出成形体よりなる第１のインキ誘導部材の尖頭状の前端が突き刺し接続される。
【００２４】
尚、本発明において、前記第１のインキ誘導部材６の前端の尖頭形状とは、円錐状の他、例えば、角錐状、チゼル状、又は、一つ若しくは複数の斜めカット面を有する形状等を挙げることができる。
【００２５】
尚、本発明において、前記第１のインキ誘導部材６のリブ６２は、少なくとも、リブ６２の基部が、環状外壁部６１の内面から軸心を外した方向に突出していればよく、例えば、リブ６２の先端部が、軸心方向に屈曲または湾曲していてもよい。
【００２６】
【発明の効果】
請求項１により、大径のペン先を備えたとしても、筆跡途切れのないペン先からの十分なインキ流出性が得られ、しかも、ペン先上向き状態で放置したとしても、ペン先からの空気の流入を防止でき、さらに、第１のインキ誘導部材と第２のインキ誘導部材とのスムーズな突き刺し接続が可能となる。
【００２７】
請求項２により、第１のインキ誘導部材の前端の適正な尖頭形状が得られると同時に、十分且つ安定したインキ流出性が得られる。
【００２８】
請求項３により、途切れのない太幅の筆跡が得られる直液式ボールペンを提供することができる。
【図面の簡単な説明】
【図１】本発明の直液式筆記具の第１実施例を示す縦断面図である。
【図２】図１の第１のインキ誘導部材を示す拡大横断面図である。
【図３】図１の第１のインキ誘導部材の他の例を示す拡大横断面図である。
【図４】本発明の直液式筆記具の第２実施例を示す縦断面図である。
【符号の説明】
１  直液式筆記具
２  軸筒
３  ペン先（ボールペンチップ）
３１  ボール
３２  ボール受け座
４  インキタンク
５  インキ保溜部材
５１  軸心孔
５２  櫛歯
５３  インキ保溜溝
５４  インキ誘導スリット
６  第１のインキ誘導部材
６１  環状外壁部
６２  リブ
７  第２のインキ誘導部材
８  第３のインキ誘導部材
９  ペン先ホルダー
【図１】
0004460748.tif 000002
【図２】
0004460748.tif 000003
【図３】
0004460748.tif 000004
【図４】
0004460748.tif 000005